(57)【要約】【課題】複数種類の溶液を保持し、これら溶液を周囲からの異物による汚染を防ぎながら容易かつ正確に混合し、かつ混合時に生成される析出物や凝固物及び混合される対象溶中の異物を除去することが可能な２液混合容器を提供する。【解決手段】２液混合容器１は、上端開口２ａが蓋部材５により開閉可能に閉塞され下端開口２ｂが第１フィルム１１で密閉されてなるサンプル液用の第１容器２と、第１容器２の下筒部２Ｂに上下摺動可能に嵌合され下端開口３ｂが第２フィルム１２で閉塞されてなる、サンプル液との混合液用の第２容器３と、第２容器３の下筒部３Ｂに上下摺動可能に嵌合され下端開口４ｂがフィルタ１３で閉塞されてなる第３容器４とを備え、第２容器３内に第１フィルム１１を突き破る第１針部２３が設けられ、第３容器４内に第２フィルム１２を突き破る第２針部２４が設けられている。【選択図】図１
2015067317.tif 000002
【特許請求の範囲】
【請求項１】
開放された上端開口とフィルムにより閉塞された下端開口とを有するサンプル溶液収容用の第１容器と、
前記第１容器の下部外周が上下に摺動可能に嵌合される上端開口とフィルムにより閉塞された下端開口とを有し前記サンプル溶液と混合される液体を収容する第２容器と、
前記第２容器の下部外周が上下に摺動可能に嵌合される上端開口とフィルタにより閉塞された下端開口を有する第３容器と、
前記第１容器の上端開口を開閉可能に閉塞する蓋部材と、
前記第１容器の前記フィルムに向けて突出するように前記第２容器に設けられ、前記第１容器が前記第２容器に対し下方に摺動された時に前記第１容器の前記フィルムを突き破ることで前記第１容器内のサンプル溶液を前記第２容器内に流出させる第１針部と、
前記第２容器の前記フィルムに向けて突出するように前記第３容器に設けられ、前記第２容器が前記第３容器に対し下方に摺動された時に前記第２容器の前記フィルムを突き破ることで前記第２容器内の前記サンプル溶液と前記混合される液体との混合液を前記第３容器内に流出させる第２針部と、
を備えることを特徴とする２液混合容器。
【請求項２】
前記第１針部は、前記第２容器内において前記サンプル溶液の流通を可能とした第１支持部材により支持されている、
ことを特徴とする請求項１記載の２液混合容器。
【請求項３】
前記第１支持部材は、前記第２容器の前記下端開口の周縁全周から起立し前記第１容器の下端開口の中央に向かう前記第１容器の下端開口側に凸状の傾斜部を有し、
前記第１針部は、前記傾斜部の頂部で支持され、
前記傾斜部の全域に液体流通用の複数の流通開口が形成されている、
ことを特徴とする請求項２記載の２液混合容器。
【請求項４】
前記第２針部は、前記第３容器内において前記サンプル溶液と前記混合される液体との混合液の流通を可能とした第２支持部材により支持されている、
ことを特徴とする請求項１から３の何れか１項記載の２液混合容器。
【請求項５】
前記第２支持部材は、前記第３容器の前記下端開口の周縁全周から起立し前記第２容器の下端開口の中央に向かう前記第２容器の下端開口側に凸状の傾斜部を有し、
前記第２針部は、前記傾斜部の頂部で支持され、
前記傾斜部の全域に液体流通用の複数の流通開口が形成されている、
ことを特徴とする請求項４記載の２液混合容器。
【請求項６】
前記第１容器の前記第２容器側への移動を規制し前記第１針部による前記第１容器の前記フィルムの突き破りを阻止する第１スペーサが前記第１の容器の下部外周に着脱可能に設けられている、
ことを特徴とする請求項１から５の何れか１項記載の２液混合容器。
【請求項７】
前記第２容器の前記第３容器側への移動を規制し前記第２針部による前記第２容器の前記フィルムの突き破りを阻止する第２スペーサが前記第２の容器の下部外周に着脱可能に設けられている、
ことを特徴とする請求項１から６の何れか１項記載の２液混合容器。
【請求項８】
前記フィルタは、混合液中の凝固物や析出物等の異物のろ過または特定の物質を吸着可能なフィルタである、
ことを特徴とする請求項１から７の何れか１項記載の２液混合容器。
【請求項９】
前記第３容器の下部外周に嵌合され前記フィルタを前記第３容器の下端開口を閉塞するように保持するとともに前記フィルタでろ過された処理済液を外部へ排出するロート部材を備える、
ことを特徴とする請求項１から８の何れか１項記載の２液混合容器。
【発明の詳細な説明】
【技術分野】
【０００１】
本発明は、異なる２種類以上の溶液を保持し、これら溶液の混合反応時に生成される凝固物や析出物及び混合させる対象液中の異物を除去可能にした、遺伝子検査等のサンプル調整や食品分野に利用できるろ過機能付きの２液混合容器に関する。
【背景技術】
【０００２】
従来、溶液同士を混合反応させる際に、特定の組み合わせをすると凝固や析出といった現象が発生することがある。また、混合する対象液が異物を多数含んでいる場合も存在し、このような場合、凝固物や析出物等の異物を取り除くために古くからろ紙を用いてろ過する技術が使われてきた。
【０００３】
しかし、ろ紙を用いた液体のろ過は、液体の粘度等によっては自然落下であるため時間がかかり、また開放系であるため周囲からの異物が混入することでコンタミネーションが発生する可能性が高い。
従来、ろ紙を用いない液体混合容器としては、特許文献１、２に示すものが知られている。
【先行技術文献】
【特許文献】
【０００４】
【特許文献１】特許第５１５０５０７号公報
【特許文献２】特許第５１３２２０７号公報
【発明の概要】
【発明が解決しようとする課題】
【０００５】
特許文献１に開示されている混合容器は、バイアルと、このバイアルに着脱可能に嵌め合わされる蓋とを備え、バイアルは、混合物等のサンプルを収容するチャンバー及び貫通部材を有し、蓋は、混合物等の物質を貯蔵する貯蔵部及び貯蔵部内の物質をシールする貫通可能な膜を有している。
かかる混合容器は、バイアルのチャンバー内に唾液等のサンプルを入れて蓋を閉めることにより、貫通部材が蓋の膜を貫通することで穴が開けられ、この穴を通して貯蔵部に貯蔵されている物質をチャンバー内に解放して混合するようにしたものである。
【０００６】
しかしながら、このような混合容器を使う場合、唾液等のサンプル中に存在する異物を取り除く手段がなく、その後の反応に影響を及ぼす可能性が考えられる。
【０００７】
また、特許文献２に開示されている混合容器は、容器上部に装着されるシリンジのプランジャーを操作して、プランジャーに設けられた押圧部により、第１室と第２室を隔てる隔壁部材を押圧することで隔壁部材を取りはらい、第１室と第２室を連通させることにより、隔壁部材で隔離された２液を混合するようにしたものである。
しかしながら、このような混合容器は、２液混合時に析出物が生成された場合や、特定の除去したいたんぱく質等が存在する場合、これを除去する手段を備えていない。
【０００８】
そこで、本発明は、複数種類の溶液を保持し、これら溶液を周囲からの異物による汚染を防ぎながら容易かつ正確に混合し、かつ複数溶液の混合反応時に生成される析出物や凝固物及び混合される対象溶中の異物を除去することが可能な２液混合容器を提供することを目的とする。
【課題を解決するための手段】
【０００９】
上記目的を達成するために請求項１の発明は、開放された上端開口とフィルムにより閉塞された下端開口とを有するサンプル溶液収容用の第１容器と、前記第１容器の下部外周が上下に摺動可能に嵌合される上端開口とフィルムにより閉塞された下端開口とを有し前記サンプル溶液と混合される液体を収容する第２容器と、前記第２容器の下部外周が上下に摺動可能に嵌合される上端開口とフィルタにより閉塞された下端開口を有する第３容器と、前記第１容器の上端開口を開閉可能に閉塞する蓋部材と、前記第１容器の前記フィルムに向けて突出するように前記第２容器に設けられ、前記第１容器が前記第２容器に対し下方に摺動された時に前記第１容器の前記フィルムを突き破ることで前記第１容器内のサンプル溶液を前記第２容器内に流出させる第１針部と、前記第２容器の前記フィルムに向けて突出するように前記第３容器に設けられ、前記第２容器が前記第３容器に対し下方に摺動された時に前記第２容器の前記フィルムを突き破ることで前記第２容器内の前記サンプル溶液と前記混合される液体との混合液を前記第３容器内に流出させる第２針部とを備えることを特徴とする２液混合容器である。
【００１０】
請求項２の発明は、請求項１記載の２液混合容器において、前記第１針部は、前記第２容器内において前記サンプル溶液の流通を可能とした第１支持部材により支持されている、
ことを特徴とする請求項１記載の２液混合容器である。
【００１１】
請求項３の発明は、請求項２記載の２液混合容器において、前記第１支持部材は、前記第２容器の前記下端開口の周縁全周から前記第１容器の下端開口の中央に向けて起立し第１容器２の下端開口２ｂ側に凸状の傾斜部を有して、前記第１針部は、前記傾斜部の頂部で支持され、前記傾斜部の全域に液体流通用の複数の流通開口が形成されていることを特徴とする２液混合容器である。
【００１２】
請求項４の発明は、請求項１から３の何れか１項記載の２液混合容器において、前記第２針部は、前記第３容器内において前記サンプル溶液と前記混合される液体との混合液の流通を可能とした第２支持部材により支持されていることを特徴とする２液混合容器である。
【００１３】
請求項５の発明は、請求項４記載の２液混合容器において、前記第２支持部材は、前記第３容器の前記下端開口の周縁全周から前記第２容器の下端開口の中央に向けて突設され前記第２容器の下端開口側に凸状の傾斜部を有し、前記第２針部は、前記傾斜部の頂部で支持され、前記傾斜部の全域に液体流通用の複数の流通開口が形成されていることを特徴とする２液混合容器である。
【００１４】
請求項６の発明は、請求項１から５の何れか１項記載の２液混合容器において、前記第１容器の前記第２容器側への移動を規制し前記第１針部による前記第１容器の前記フィルムの突き破りを阻止する第１スペーサが前記第１の容器の下部外周に着脱可能に設けられていることを特徴とする２液混合容器である。
【００１５】
請求項７の発明は、請求項１から６の何れか１項記載の２液混合容器において、前記第２容器の前記第３容器側への移動を規制し前記第２針部による前記第２容器の前記フィルムの突き破りを阻止する第２スペーサが前記第２の容器の下部外周に着脱可能に設けられていることを特徴とする２液混合容器である。
【００１６】
請求項８の発明は、請求項１から７の何れか１項記載の２液混合容器において、前記フィルタは、混合液中の凝固物や析出物等の異物のろ過または特定の物質を吸着可能なフィルタであることを特徴とする２液混合容器である。
【００１７】
請求項９の発明は、請求項１から８の何れか１項記載の２液混合容器において、前記第３容器の下部外周に嵌合され前記フィルタを前記第３容器の下端開口を閉塞するように保持するとともに前記フィルタでろ過された処理済液を外部へ排出するロート部材を備えることを特徴とする２液混合容器である。
【発明の効果】
【００１８】
本発明の２液混合容器によれば、複数種類の溶液の使用時に周囲からの異物による汚染を防ぎながら容易かつ正確に混合することができ、かつ複数溶液の反応時に生成される凝固物や析出物及び混合される対象液中の異物を除去することができる。
【図面の簡単な説明】
【００１９】
【図１】本発明に係る２液混合容器の全体の構成を示した縦断側面図である。
【図２】本発明に係る２液混合容器を分解して示す縦断側図である。
【図３】本発明に係る２液混合容器を使用時の動作を示す説明用断面図である。
【図４】本発明に係る２液混合容器を使用時の動作を示す説明用断面図である。
【図５】本発明に係る２液混合容器を使用時の動作を示す説明用断面図である。
【図６】本発明に係る２液混合容器を使用時の動作を示す説明用断面図である。
【図７】本発明に係る２液混合容器を使用時の動作を示す説明用断面図である。
【図８】本発明に係る２液混合容器を使用時の動作を示す説明用断面図である。
【図９】本発明に係る２液混合容器を構成する第１容器と第２容器の詳細を示す説明用斜視図である。
【発明を実施するための形態】
【００２０】
以下、本発明に係る２液混合容器の実施の形態について、図１〜図９を参照して詳細に説明する。
本実施の形態に示す２液混合容器１は、図１に示すように、第１容器２と、第２容器３と、第３容器４と、蓋部材５と、第１スペーサ６と、第２スペーサ７等を備えて構成されている。
【００２１】
第１容器２は、開放されたサンプル溶液注入用の上端開口２ａを有する円筒状の上筒部２Ａと、この上筒部２Ａの下端に軸線を一致して接合され、上筒部２Ａの内径に相当する外径を有する円筒状の下筒部２Ｂとからなり、下筒部２Ｂの下端開口２ｂは、突き破り可能な防水性のフィルム１１により閉塞されている。このフィルム１１による下端開口２ｂの閉塞は、下筒部２Ｂの下端開口２ｂの縁に接着剤によりフィルム１１を貼着することでなされる。
【００２２】
このように構成された第１容器２内には、その上端開口２ａから唾液等のサンプル溶液５１が導入されるようになっている。また、第１容器２の上端開口２ａには、これを閉塞する蓋部材５が開閉可能に嵌合されている。この場合、第１容器２内にサンプル溶液５１を導入した後に蓋部材５を閉めることにより、第１容器２は、周囲からの異物が侵入することのない密封容器とすることができる。蓋部材５は、嵌合式、ねじ式等限定するものでなく、密閉できればよい。
【００２３】
第２容器３は、第１容器２の下筒部２Ｂが上下方向に摺動可能に嵌合され、かつ開放された上端開口３ａを有する円筒状の上筒部３Ａと、この上筒部３Ａの下端に軸線を一致して接合され、かつ上筒部３Ａの内径に相当する外径を有する円筒状の下筒部３Ｂとからなり、下筒部３Ｂの下端開口３ｂは、突き破り可能で防水性のフィルム１２により閉塞されている。このように構成された第２容器３内には、サンプル溶液５１と混合される液体５２が収容されている。また、フィルム１２による下端開口３ｂの閉塞は、下筒部３Ｂの下端開口３ｂの縁に接着剤によりフィルム１２を貼着することでなされる。
【００２４】
第２容器３内には、第１容器２が第２容器３に対し下方に摺動された時に第１容器２のフィルム１１を突き破ることで第１容器２内のサンプル溶液５１を第２容器３内に流出させる第１針部２３がフィルム１１の中央部に向け突出して設けられている。また、この第１針部２３は、第２容器３内においてサンプル溶液５１の流通を可能とした第１支持部材２１により支持されている。
【００２５】
第１支持部材２１は、第２容器３の下端開口３ｂの周縁全周から第１容器２の下端開口２ｂの中央に向けて起立し、かつ第１容器２の下端開口２ｂ側に円錐状に突出するように形成された傾斜部２１ａを有しており、この傾斜部２１ａの頂部に第１針部２３が支持されている。そして、図９に示すように、傾斜部２１ａの全域に液体流通用の複数の流通開口２１ｂが形成されている。
【００２６】
また、第２容器３の上筒部３Ａの上端縁と、これに対向する第１容器２の上筒部２Ａと下筒部２Ｂとの接合段部２Ｃとの間に位置する第１容器２の下筒部２Ｂの外周には、第１スペーサ６が着脱可能に設けられている。この第１スペーサ６は、第２容器３に対する第１容器２の下方への移動を規制し、かつ第１針部２３が第１容器２のフィルム１１を突き破るのを阻止するものである。このために、第１スペーサ６の幅寸法は、第１容器２を第２容器３へ押し込んで第１容器２のフィルム１１が第２容器３の第１針部２３により突き破られるストロークよりも長く形成されている。
【００２７】
なお、第１スペーサ６としては、例えば、合成樹脂等からなる所定の幅と厚さを有する帯状部材を第１容器２の下筒部２Ｂの外径に合わせてリング状に折り曲げ加工したものが使用される。この場合、第１容器２の下筒部２Ｂを第２容器３の上端開口３ａに嵌合される前に、第１容器２の下筒部２Ｂに、その下端側から第１スペーサ６を嵌め込むことで第１容器２の下筒部２Ｂの外周に装着することができる。また、溶液の混合に際して第１スペーサ６を第１容器２の下筒部２Ｂから取り除く場合は、第１容器２の下筒部２Ｂが第２容器３の上端開口３ａに嵌合された状態で、リング状に折り曲げ加工された第１スペーサ６の切り離し端を引っ張ることで容易に取り除くことができる。
【００２８】
第３容器４は、第２容器３の下筒部３Ｂが上下方向に摺動可能に嵌合され、かつ開放された上端開口４ａを有する筒状の上筒部４Ａと、この上筒部４Ａの下端に接合され、かつ上筒部４Ａの内径に相当する外径を有する円筒状の下筒部４Ｂとからなり、下筒部４Ｂの下端開口４ｂはフィルタ１３により閉塞されている。
【００２９】
第３容器４内には、第２容器３が第３容器４に対し下方に摺動された時に第２容器３のフィルム１２を突き破ることで第２容器３内のサンプル溶液５１と液体５２との混合液５３を第３容器４内に流出させる第２針部２４がフィルム１２の中央部に向け突出して設けられている。また、この第２針部２４は、第３容器４内において混合液５３の流通を可能とした第２支持部材２２により支持されている。
【００３０】
第２支持部材２２は、第３容器４の下端開口４ｂの周縁全周から第２容器３の下端開口３ｂの中央に向けて起立し、かつ第２容器３の下端開口３ｂ側に円錐状に突出して形成された傾斜部２２ａを有しており、この傾斜部２２ａの頂部に第２針部２４が支持されている。そして、図９に示すように、傾斜部２２ａの全域に液体流通用の複数の流通開口２２ｂが形成されている。
【００３１】
また、第３容器４の上筒部４Ａの端縁と、これに対向する第２容器３の上筒部３Ａと下筒部３Ｂとの接合段部３Ｃとの間に位置する第２容器３の下筒部３Ｂの外周には、第２スペーサ７が着脱可能に設けられている。この第２スペーサ７は、第３容器４に対する第２容器３の下方への移動を規制し、かつ第２針部２４が第２容器３のフィルム１２を突き破るのを阻止するものである。このために、第２スペーサ７の幅寸法は、第２容器３を第３容器４へ押し込んで第２容器３のフィルム１２が第３容器４の第２針部２４により突き破られるストロークよりも長く形成されている。
【００３２】
なお、第２スペーサ７としては、例えば、合成樹脂等からなる所定の幅と厚さを有する帯状部材を第２容器３の下筒部３Ｂの外径に合わせてリング状に折り曲げ加工したものが使用される。この場合、第２容器３の下筒部３Ｂを第３容器４の上端開口４ａに嵌合される前に、第２容器３の下筒部３Ｂに、その下端側から第２スペーサ７を嵌め込むことで第２容器３の下筒部３Ｂの外周に装着することができる。また、溶液の混合に際して第２スペーサ７を第２容器３の下筒部３Ｂから取り除く場合は、第２容器３の下筒部３Ｂが第３容器４の上端開口４ａに嵌合された状態で、リング状に折り曲げ加工された第２スペーサ７の切り離し端を引っ張ることで容易に取り除くことができる。
【００３３】
第３容器４の下筒部４Ｂの外周には、ロート部材８の上端に設けられた円筒部８ａが嵌合されている。このロート部材８は、第３容器４の下端開口４ｂが閉塞されるようにフィルタ１３を保持するとともにフィルタ１３でろ過された処理済液５４を外部へ排出するものであり、処理済液５４の排出口８ｃを有している。
【００３４】
なお、上記第１容器２、第２容器３及び第３容器４は、例えばガラスまたは樹脂材等からなり、特に耐薬品性を有するものが好ましい。また、上記第１、第２フィルム１１、１２は、例えば耐薬品性及び防水性を有する樹脂製のフィルムから形成されている。また、上記フィルタ１３は、紙製や布製等の透水性を有するシート材から形成されている。
【００３５】
次に、本実施の形態に示す２液混合容器の動作について、図３乃至図８を参照して説明する。
まず、図３に示すように、第２スペーサ７が装着された第２容器３の下筒部３Ｂを第３容器４の上筒部４Ａに嵌合させた状態で、第２容器３内に混合させたい液体５２を予め入れておき、さらに、この第２容器３の上筒部３Ａに、第１スペーサ６が装着された第１容器２の下筒部２Ｂを嵌合しておく。かかる状態で、第１容器２内に混合したいサンプル溶液５１を入れた後、図４に示すように第１容器２の上端開口２ａを蓋部材５により閉塞する。
【００３６】
次に、図５に示すように、第１容器２の第１スペーサ６を除去した後、蓋部材５側から押圧して、第１容器２の接合段部２Ｃが第２容器３の上筒部３Ａの上端縁に当接するまで第１容器２を第２容器３に対して下方へ摺動させる。これにより、図６に示すようにフィルム１１が第１針部２３により突き破られ、第１容器２と第２容器３との間が連通されるとともに、フィルム１１に形成された突き破り開口を通して第１容器２内のサンプル溶液５１が第２容器３内に流出する。そして、第２容器３内に流出されたサンプル溶液５１と第２容器３内の液体５２とが第１支持部材２１の流通開口２１ｂを通して自由に流動することにより、両液体は混合される。
【００３７】
次に、図７に示すように、第２容器３の第２スペーサ７を除去した後、蓋部材５側から押圧して、第１容器２を含む第２容器３を第３容器４に対して下方へ摺動させる。これにより、図７に示すようにフィルム１２が第２針部２４により突き破られ、第２容器３と第３容器４との間が連通されるとともに、フィルム１２に形成された突き破り開口を通して第２容器２内の混合液５３が第３容器４内に流出する。そして、第３容器４内に流出された混合液５３は第２支持部材２２の流通開口２２bを通して自由に流動することにより、さらに混合される。
【００３８】
次いで、図８に示すように、第２容器３の接合段部３Ｃが第３容器４の上筒部４Ａの上端縁に当接するまで第１容器２を含む第２容器３を押圧し続けて下方へ摺動されることにより、第３容器４内の混合液体５３はフィルタ１３によりろ過され、かつ反応により生成された凝固物や析出物及び対象液中の異物が除去された処理済液５４が排出口８ｃから排出される。
【００３９】
この場合、フィルタ１３でろ過される処理済液５４を反応に用いることもでき、また、フィルタ１３を特殊な機能を持たせたフィルタに変更することにより、たんぱく質等の物質を特異的に除去することも可能となる。
また、２液を混合することにより析出する物質をフィルタ１３上から回収して使用することも可能である。
【００４０】
上記のような本実施の形態に示す２液混合容器は、下端開口４ｂをフィルタ１３により閉塞してなる第３容器４の上筒部４Ａに、下端開口３ｂをフィルム１２により閉塞してなる第２容器３の下筒部３Ｂを嵌合し、この第２容器３内に混合させたい液体５２を予め入れておき、その後、下端開口３ｂをフィルム１１により閉塞してなる第１容器２の下筒部２Ｂを第２容器３の上筒部３Ａに嵌合し、この第１容器２に混合したいサンプル溶液５１を入れ、その上部開口２ａを蓋部材５で閉塞して、周囲からの異物が侵入することのない密封された２液混合容器２を構成する。そして対象液の混合に際しては、第１容器２の第１スペーサ６を除去した後、蓋部材５側から押圧することにより、第１容器２のフィルム１１を第１針部２３で突き破ることで形成される開口から第１容器２内のサンプル溶液５１を第２容器３内に流出させて第２容器３内の液体５２と混合し、さらに、第２容器３の第２スペーサ７を除去した後、蓋部材５側から押圧することにより、第２容器３のフィルム１２を第２針部２４で突き破ることで形成される開口からサンプル溶液５１と液体５２との混合液５３を第３容器４内に流出させるとともに、蓋部材５側から押圧し続けることにより、第３容器４内に流入された混合液５３をフィルタ１３によりろ過し、ロート部材８の排出口８ｃから処理済液５４として排出する構成にしたので、このような２液混合容器を用いて複数種類の溶液の混合する時、周囲からの異物による汚染を防ぎながら対象液を容易かつ正確に混合することができ、かつ複数溶液の混合時に生成される析出物や凝固物及び混合される対象溶中の異物を確実に除去することができる。
【００４１】
また、本実施の形態によれば、第２容器３の上筒部３Ａの端縁と、これに対向する第１容器２の上筒部２Ａと下筒部２Ｂとの接合段部２Ｃとの間に位置する第１容器２の下筒部２Ｂの外周に第１スペーサ６が着脱可能に設けられ、さらに、第３容器４の上筒部４Ａの端縁と、これに対向する第２容器３の上筒部３Ａと下筒部３Ｂと接合段部３Ｃとの間に位置する第２容器３の下筒部３Ｂの外周に第２スペーサ７が着脱可能に設けられているので、２液混合容器２を使用しない輸送中などに、フィルム１１、１２の一方または両方がそれぞれの第１、第２針部２３、２４により不用意に突き破られるのを未然に防止することができる。
【００４２】
なお、上記実施の形態では、第１容器２、第２容器３及び第３容器４が径の異なる上筒部と下筒部とを軸線を一致して接合してなる円筒形状を呈する容器について説明したが、これに限らず、本発明に係る第１容器２、第２容器３及び第３容器４は、例えば三角形状、四角形状乃至それ以上の多角形状を呈する筒体から構成されたものでもよい。要は、互いに混合される複数の対象液及び混合された溶液が個別に収容できる形状のものであればよく、特許請求の範囲に記載された技術的事項を逸脱しない範囲において種々変更することが可能である。
【００４３】
また、第１、第２針部２３、２４がそれぞれの第２容器３、第３容器４内に支持し得るものであれば、第１、第２針部２３、２４を支持する第１、第２支持部材２１、２２の形状は、上記実施の形態に示すような円錐形状のものに限定されず、要は、第１、第２針部がそれぞれの第２、第３容器内において、それぞれの第１、第２フィルムを突き破りうるように支持できる構造のものでよく、特許請求の範囲に記載された技術的事項を逸脱しない範囲において種々変更することが可能である。
【符号の説明】
【００４４】
１…２液混合容器
２…第１容器
２Ａ…上筒部
２Ｂ…下筒部
２ａ…上端開口
２ｂ…下端開口
３…第２容器
３Ａ…上筒部
３Ｂ…下筒部
３ａ…上端開口
３ｂ…下端開口
４…第３容器
４Ａ…上筒部
４Ｂ…下筒部
４ａ…上端開口
４ｂ…下端開口
５…蓋部材
６…第１スペーサ
７…第２スペーサ
８…ロート部材
８ｃ…排出口
１１…第１フィルム
１２…第２フィルム
１３…フィルタ
２１…第１支持部材
２１ａ…傾斜部
２１ｂ…流通開口
２２…第２支持部材
２２ａ…傾斜部
２２ｂ…流通開口
２３…第１針部
２４…第２針部
５１…サンプル溶液
５２…混合される液体
５３…混合液
５４…処理済液
【図１】
2015067317.tif 000003
【図２】
2015067317.tif 000004
【図３】
2015067317.tif 000005
【図４】
2015067317.tif 000006
【図５】
2015067317.tif 000007
【図６】
2015067317.tif 000008
【図７】
2015067317.tif 000009
【図８】
2015067317.tif 000010
【図９】
2015067317.tif 000011